【手続補正書】
【提出日】平成29年8月10日(2017.8.10)
【手続補正１】
【補正対象書類名】特許請求の範囲
【補正対象項目名】全文
【補正方法】変更
【補正の内容】
【特許請求の範囲】
【請求項１】
レンズユニットの周囲に複数のスライド部材を配置した光学機器であって、
前記レンズユニットの周囲に配置される第１スライド部材及び第２スライド部材と、
前記第１スライド部材が前記レンズユニットの光軸に直交する第１方向へ移動したことを検出する第１検出手段と、
前記第２スライド部材が前記レンズユニットの光軸に直交する方向であって前記第１方向とは異なる第２方向へ移動したことを検出する第２検出手段と、を備えることを特徴とする光学機器。
【請求項２】
前記第２方向は、前記レンズユニットの光軸に直交する方向及び前記第１方向と直交する方向であることを特徴とする請求項１に記載の光学機器。
【請求項３】
前記第１検出手段または前記第２検出手段は、当該検出手段にそれぞれ対応する前記第１スライド部材または前記第２スライド部材の移動を検出することを特徴とする請求項１または２に記載の光学機器。
【請求項４】
前記第１スライド部材には複数の庇部及び凹部が形成され、
前記第２スライド部材には複数の凹部及び庇部が形成されており、
前記第１スライド部材の庇部が前記第２スライド部材にて対応する凹部に嵌り込み、かつ前記第２スライド部材の庇部が前記第１スライド部材にて対応する凹部に嵌り込むことによって前記第１スライド部材及び第２スライド部材が連結されることを特徴とする請求項２に記載の光学機器。
【請求項５】
前記第１スライド部材の庇部は、前記第２スライド部材の側に向かって形成され、前記第２スライド部材の庇部は前記第１スライド部材の側に向かって形成されていることを特徴とする請求項４に記載の光学機器。
【請求項６】
前記第１スライド部材及び第２スライド部材をそれぞれ中立位置に復帰させる付勢手段を更に備えることを特徴とする請求項１から５のいずれか１項に記載の光学機器。
【請求項７】
前記第１スライド部材及び第２スライド部材を囲む外筒部材を更に備え、
前記外筒部材の移動に伴って前記第１スライド部材または前記第２スライド部材が移動することを特徴とする請求項１から３のいずれか１項に記載の光学機器。
【請求項８】
前記第１スライド部材及び第２スライド部材には、前記外筒部材と当接する突起がそれぞれ形成されており、
前記外筒部材の移動によって、当該外筒部材が前記第１スライド部材または前記第２スライド部材の突起と当接し、前記第１スライド部材が前記第１方向に移動し、または前記第２スライド部材が前記第２方向に移動することを特徴とする請求項７に記載の光学機器。
【請求項９】
前記第１検出手段は、前記第１スライド部材が前記第１方向における第１の向きに移動したことを検出する第１検出部及び前記第１方向における前記第１の向きとは異なる第２の向きに移動したことを検出する第２検出部を備え、
前記第２検出手段は、前記第２スライド部材が前記第２方向における第３の向きに移動したことを検出する第３検出部及び前記第２方向における前記第３の向きとは異なる第４の向きに移動したことを検出する第４検出部を備えており、
前記第１検出部及び第２検出部が近接して配置され、前記第３検出部及び第４検出部が近接して配置されていることを特徴とする請求項１から８のいずれか１項に記載の光学機器。
【請求項１０】
レンズユニットの周囲に複数のスライド部材を配置した撮像装置であって、
前記レンズユニットの周囲に配置される第１スライド部材及び第２スライド部材と、
前記第１スライド部材が前記レンズユニットの光軸に直交する第１方向へ移動したことを検出する第１検出手段と、
前記第２スライド部材が前記レンズユニットの光軸に直交する方向であって前記第１方向とは異なる第２方向へ移動したことを検出する第２検出手段と、を備えることを特徴とする撮像装置。
【請求項１１】
前記第２方向は、前記レンズユニットの光軸に直交する方向及び前記第１方向と直交する方向であることを特徴とする請求項１０に記載の撮像装置。
【請求項１２】
前記第１検出手段または前記第２検出手段は、当該検出手段にそれぞれ対応する前記第１スライド部材または前記第２スライド部材の移動を２段階で検出することを特徴とする請求項１０または１１に記載の撮像装置。
【請求項１３】
前記第１スライド部材には複数の庇部及び凹部が形成され、
前記第２スライド部材には複数の凹部及び庇部が形成されており、
前記第１スライド部材の庇部が前記第２スライド部材にて対応する凹部に嵌り込み、かつ前記第２スライド部材の庇部が前記第１スライド部材にて対応する凹部に嵌り込むことによって前記第１スライド部材及び第２スライド部材が連結されることを特徴とする請求項１１または１２に記載の撮像装置。
【請求項１４】
前記第１スライド部材の庇部は、前記第２スライド部材の側に向かって形成され、前記第２スライド部材の庇部は前記第１スライド部材の側に向かって形成されていることを特徴とする請求項１３に記載の撮像装置。
【請求項１５】
前記第１スライド部材を中立位置に復帰させる第１付勢手段と、
前記第２スライド部材を中立位置に復帰させる第２付勢手段を更に有することを特徴とする請求項１０から１４のいずれか１項に記載の撮像装置。
【請求項１６】
前記第１スライド部材及び第２スライド部材を囲む外筒部材を更に備え、
前記外筒部材の移動に伴って前記第１スライド部材または前記第２スライド部材が移動することを特徴とする請求項１０から１２のいずれか１項に記載の撮像装置。
【請求項１７】
前記第１スライド部材及び第２スライド部材には、前記外筒部材と当接する突起がそれぞれ形成されており、
前記外筒部材の移動によって、当該外筒部材が前記第１スライド部材または前記第２スライド部材の突起と当接し、前記第１スライド部材が前記第１方向に移動し、または前記第２スライド部材が前記第２方向に移動することを特徴とする請求項１６に記載の撮像装置。
【請求項１８】
前記第１検出手段は、前記第１スライド部材が前記第１方向における第１の向きに移動したことを検出する第１検出部及び前記第１方向における前記第１の向きとは異なる第２の向きに移動したことを検出する第２検出部を備え、
前記第２検出手段は、前記第２スライド部材が前記第２方向における第３の向きに移動したことを検出する第３検出部及び前記第２方向における前記第３の向きとは異なる第４の向きに移動したことを検出する第４検出部を備えており、
前記第１検出部及び第２検出部が近接して配置され、前記第３検出部及び第４検出部が近接して配置されていることを特徴とする請求項１０から１７のいずれか１項に記載の撮像装置。
【請求項１９】
前記第１検出手段が前記第１スライド部材の移動を検出した場合、または前記第２検出手段が前記第２スライド部材の移動を検出した場合に、前記第１検出手段の検出信号または前記第２検出手段の検出信号を制御手段が取得して撮影動作を制御することを特徴とする請求項１０から１８のいずれか１項に記載の撮像装置。
【請求項２０】
ズーム機構部を有する前記レンズユニットの周囲にて光軸を中心として回動可能に配置される操作部材と、
前記操作部材の回動を検出する第３検出手段と、を更に備え、
前記第３検出手段が前記操作部材の回動を検出した場合に前記制御手段がズーム動作を制御することを特徴とする請求項１９に記載の撮像装置。
【請求項２１】
前記第１検出手段が前記第１スライド部材の移動を２段スイッチの第１段階で検出した場合に、前記制御手段は前記レンズユニットの焦点調節動作の制御を行ってから当該レンズユニットの状態を維持し、
その後、前記第２検出手段が前記第２スライド部材の移動を２段スイッチの第１段階で検出した場合に、前記制御手段は撮影動作の制御を行うことを特徴とする請求項１９または２０に記載の撮像装置。
【請求項２２】
前記制御手段が前記レンズユニットの状態を維持した後、前記第２検出手段が前記第２スライド部材の移動を２段スイッチの第１段階で検出しない場合であって、前記第１検出手段が前記第１スライド部材の移動を２段スイッチの第２段階で検出した場合、前記制御手段は撮影動作の制御を行うことを特徴とする請求項２１に記載の撮像装置。
【請求項２３】
前記第２検出手段が前記第２スライド部材の移動を２段スイッチの第１段階で検出した場合に、前記制御手段は前記レンズユニットの焦点調節動作の制御を行ってから当該レンズユニットの状態を維持し、
その後、前記第１検出手段が前記第１スライド部材の移動を２段スイッチの第１段階で検出した場合に、前記制御手段は撮影動作の制御を行うことを特徴とする請求項２１または２２に記載の撮像装置。
【請求項２４】
前記制御手段が前記レンズユニットの状態を維持した後、前記第１検出手段が前記第１スライド部材の移動を２段スイッチの第１段階で検出しない場合であって、前記第２検出手段が前記第２スライド部材の移動を２段スイッチの第２段階で検出した場合、前記制御手段は撮影動作の制御を行うことを特徴とする請求項２３に記載の撮像装置。
【請求項２５】
前記第１検出手段が前記第１スライド部材の移動を２段スイッチの第１段階で検出した場合に、前記制御手段は前記レンズユニットの焦点調節動作の制御を行ってから当該レンズユニットの状態を維持し、
その後、前記第２検出手段が前記第２スライド部材の移動を２段スイッチの第１段階で検出したとしても前記制御手段は撮影動作の制御を行うことなく、前記第１検出手段が前記第１スライド部材の移動を２段スイッチの第２段階で検出するか、或いは、前記第２検出手段が前記第２スライド部材の移動を２段スイッチの第２段階で検出した場合に、前記制御手段は撮影動作の制御を行うことを特徴とする請求項１９または２０に記載の撮像装置。
【請求項２６】
前記第２検出手段が前記第２スライド部材の移動を２段スイッチの第１段階で検出した場合に、前記制御手段は前記レンズユニットの焦点調節動作の制御を行ってから当該レンズユニットの状態を維持し、
その後、前記第１検出手段が前記第１スライド部材の移動を２段スイッチの第１段階で検出したとしても前記制御手段は撮影動作の制御を行うことなく、前記第１検出手段が前記第１スライド部材の移動を２段スイッチの第２段階で検出するか、或いは、前記第２検出手段が前記第２スライド部材の移動を２段スイッチの第２段階で検出した場合に、前記制御手段は撮影動作の制御を行うことを特徴とする請求項２５に記載の撮像装置。